【手続補正書】
【提出日】平成15年10月20日(2003.10.20)
【手続補正１】
【補正対象書類名】明細書
【補正対象項目名】全文
【補正方法】変更
【補正の内容】
【発明の名称】滑走ガイドつき滑り面の滑り台
【特許請求の範囲】
【請求項１】傾斜面をなし、滑り面の上部の滑り口から下部の降り口までの長手方向に沿って中央部に1本以上の、あるいは任意の位置に複数本の、起伏した凸部を設けそれをガイドとし、滑走方向に対して、子供等の身体や向きが横方向にずれないようにすると共に、下肢で滑り面の中央にあるガイドを挟み、跨いで、あるいは、任意の位置にあるガイドによって支持され滑れるよう形成した滑り面を有している滑り台。
【請求項２】凸部の筐体のみを別に作り、該滑り面に取り付けられるよう構成したガイドを設けることを特徴とする請求項１に記載の滑り台。
【請求項３】ガイドを滑り台の表示機能付き装置を持つ筐体のみ脱着出来るようにしたことを特徴とする請求項１、または２に記載の滑り台。
【発明の詳細な説明】
【０００１】
【発明の属する技術分野】
本発明は、緊急避難用滑り台の滑り面、及び遊具の滑り台の滑り面に係るものであり、詳しくは、その滑り台の滑り面に設けられる滑走用ガイドと、そのガイドの部分を軽便に取り付けられるよう筐体にしたもの、またその形状や材質の構成により、直射日光を受ける滑り面の表面温度が高温になるのを防ぐ、あるいは又、ガイド筐体部分に温度変化によって色が変わる液晶を用い、表面温度変化によって色が変わったり、液晶パネル等の表示装置の文字によって滑り面の表面温度の危険の有無を知らせる仕組みに関するものである。
【０００２】
【従来の技術】滑り面長手方向に沿って中央部に1本以上の、あるいは任意の位置に複数本の起伏した凸状のガイドでは従来、該当する滑り台用のものは見当たらず又、滑り面が直射日光を受け、表面温度が高温になるが、それをを防ぐ従来技術では該滑り面表面に小さな窪みを有していたり、該滑り面に覆いをして日光の直射を防いでいた。
【０００３】
【発明が解決しようとする課題】
従来滑り台の滑り面は金属やプラスチックの平滑な平面や、直径２〜３センチのそれらの材質のもので形成されたパイプを平面上に一列あるいは、湾曲状に並べたものであったり、凹面であったりしているが、それらの面を滑走する身体の動きや方向を安定させるための仕組みがないため、滑走しているとき、身体が向きが左右に振られたり、進行方向が蛇行して、下肢や手を滑り面の側板に挟んだり、擦過したりして怪我をする問題点があり、本発明はそれを防ぐことを課題とするものである。
【０００４】
また、従来の滑り面は材質は金属やプラスチックの単一の材質で、平滑に作られてあるため日光の直射を受けると、構造的にどの部分も同じように、滑り面の表面部分に蓄熱し、時には露出した幼児の肌に、直接触れると火傷を負うほど熱くなることもあった。
【０００５】
本発明は、従来の技術の有するこのような問題点に鑑みてなされたものであり、その目的とするところは、公園や子供用の施設で使用される遊具の滑り台をより安全で快適なものと出来るよう、又、緊急避難用に設置されるものにもガイドのついた滑り面を堤供しようとするものである。
【０００６】
【課題を解決するための手段】
上記目的を達成するために、本発明における滑り面は、滑り面（３）（３ｒ）（３ａ）（３ｂ）の長手方向に沿って中央部に1本以上の、あるいは任意の位置に複数本の凸部（１）（１ｒ）（２）（２ａｒ）（２ｂｒ）（２ａ）（２ｂ）を形成し設けそれに臀部の窪みや身体の部分を当てる、または、覆い被せ、下肢や、足で挟み込むことによって、身体を支持するガイド（１）（１ｒ）とした手段を講じた。
【０００７】
また、中央部に1本以上の、あるいは任意の位置に複数本のガイドの機能を補完強化するため該滑り面（３）の、側板（４）側両端を立上げ湾曲状に形成したものを側面のガイド（２）として、設けた。あるいは筒状、半筒状面の滑り面の場合は中央のガイドを挟んでガイドの効果を補完する両端ガイド（２ａｒ）（２ｂｒ）を設けてもよい。
【０００８】
あるいは平滑な該滑り面に係止するための尾根状に形成した凸部ガイドとして、材質も別のものを使用できるよう筐体（１ａ）（２ａ）（２ｂ）を個別に製作し、従来の滑り台滑り面に取り付けられるものとした。
【０００９】
滑り面の筐体ガイド部に滑り面とは違う色や材質のものが用いることができる。また、滑り面表面に温度によって色が変わるコレステリック液晶のマイクロカプセル顔料を塗布し、あるいはその上を透過樹脂の保護膜で皮膜し保護すれば、表面温度を色で表示でき、危険を表示することもできる。又、滑り面の表面温度を温度センサーにより検知し、危険があれば文字などで危険を知らせる情報を表示する表示装置（５）も筐体部分の滑り面表面に埋め込むことも出来る。
【００１０】
滑り面を長手方向に沿って中央より２分割、それらを左（３ａ）右（３ｂ）に分け中央部に隙間を設け、該滑り面（３ａ）、（３ｂ）に中央の間を覆うように中央ガイド（１ａ）を設け、中央ガイドの裏面側が外気に直接ふれ、中央ガイドによる放熱効果がより高まる。
【００１１】直射日光の投影面積に係る該滑り面（１）、（１ａ）の表面積を凹凸を有する形状に成形することで放熱の面積を広くし、あるいは日光の直射を凹凸面により分散させ温度分布を不均等にし、又、温度差が大きければ熱は早く伝達されるという熱伝達の法則により高温部の温度を早く下げる。
【００１２】係止するガイド部（１ａ）、（２ａ）、（２ｂ）の材質を断熱性のあるプラスチックや木材等の材質のもの、あるいはアルミを使用し裏面側に放熱用の凹凸や襞を形成するなど放熱効果の高い材質や形状のものを用い高温部の温度を下げる。
【００１３】
滑り面の中央部に1本以上の、あるいは任意の位置に複数本のガイド部（１）（１ａ）(２ａ)(２ｂ)は、滑るとき滑り面では、身体の触れる部分としてはもっとも多い。この部分は、子供の身体側の部分としては、衣服に覆われた臀部の部分である。従来は、子供が滑り面に座ったとき、滑り面が平滑だったり、滑りやすく作られているため、身体を支持しているものが無く、安定が悪くなるので、滑る時、座るれば安定を得るため、身体の重心を低くし、下肢を伸ばし、それを滑り面に密着させて動かぬようにし座る姿勢をとっていた。それにより臀部から、衣服に覆われていない下肢の部分にかけて、高温に熱せられた滑り面に直接、触れていた。しかし、中央部に1本以上の、あるいは任意の位置に複数本のガイドをつけることにより、座る時の姿勢が臀部の窪みにガイドの凸部を挟むように当たり身体を支持しているので、左右に動きにくく、また、靴底を滑り面につけ膝を曲げても足でガイドを挟む姿勢をとることができるので安定し、それで、高温に熱せられた滑り面表面を、剥き出しの肌に直接あてることがなく、火傷を負いにくい姿勢もとりやすくなった。
【００１４】
【発明実施の形態】
それぞれのガイド部（１）（１ａ）、（２）、（２ａ）、（２ｂ）を滑り面に形成しようとすれば、従来の板金加工技術の曲げ加工や金属の打ち出しの技術を使って行なう。またプラスチックを用い抽出成形加工により行なう。あるいはＦＲＰの成型加工技術によって行なう。
【００１５】
姿勢安定ガイド滑り面（３）は、材質は金属ではとりわけステンレスが用いられる。そのほかファイバープラスチック、ポリエステルなどのプラスチックも用いられる。
【００１６】
個別につくられるガイド（１）（１ａ）、（２）（２ａ）（２ｂ）の筐体も材質は必ずしも該底板と同質のものを用いるとは限らない。又、決まった形状や、大きさ、色はなく、目的により変化する。
【００１７】
請求項２の筐体を滑り面と別にガイド部分のみを製作後、設置装着においては、従来のボルトとナットにより接合する方法や接着剤を用いたり、成形にあたり係止用の係合片と長孔を要して固着する等の手段がある。
【００１８】
該滑り面を長手方向に沿って中央より２分割、それらを左（３ａ）右（３ｂ）に分け中央部に隙間を設け、該滑り面底板にその隙間を覆うようにガイド（１ａ）を固着する手段もある。滑り面が分割できれば、コンパクトになり、重量も分けることで軽くなり、搬送しやすくした。
【発明の効果】
【００１９】
本発明は上述の通り構成されているので次ぎに記載する効果を奏する。
【００２０】
請求項１の滑走用ガイドの滑り面は、幼児が高所から低所に滑走するに従い、中央部に1本以上の、あるいは任意の位置に複数本のガイドにより臀部の凹部若しくは両下肢がその間に凸部のガイドを挟み込むように跨ぐので、滑り面を滑走する子供の身体の凹部分とガイドの凸部分が密着しガイドに対し子供のからだの窪みの凹状の形状や挟み込んである両下肢が、開放されていない滑り面の側壁板方向や、滑走する方向に対し左右の横方向へのずれの力が及んでも阻止される。また臀部全体がガイドに密着し身体は無理なく滑り面中央に導かれ、滑り面の両側に設けられた補完ガイドとの相乗効果により、安全に快適に低所へ下りられる。また、姿勢を安定させるために、足や下肢でガイドを挟み、あるいはガイドによって出来た溝の部分を押さえる行為により身体を支持し、膝を立てる等の、すぐに立ちあがれる等の姿勢がとりやすくなり、安全に快適に低所へ降りられる。
【００２１】
請求項２の筐体は、滑り面製作における工程の中で、一枚の金属の板では面倒な凸部の打ち出しなどの作業を別に行なうことにより、ガイドの筐体と滑り面それぞれの製作が簡単になり、製作の効率化を計れる。また既存に使用されている滑り面にも、このガイドを設置することが出来、新しくガイド付き滑り面を作らなくても良いので経済的である。
【００２２】
直射日光の投影面積に係る該滑り面（３）（３ａ）、の表面積を凹凸を有する形状に成形することで広くし、日光の直射を分散させ温度分布を不均等にし熱伝達の時間差や広い放熱面を持つことで、温度差が大きければ熱伝達は早くなるという熱伝達の法則の効果により高温部の温度を下げることができる。
【００２３】
係止するガイド部（１ａ）、（２ａ）、（２ｂ）の材質を断熱性の高いプラスチックや木材等の材質のもの、あるいはアルミを使用し裏面側に放熱用の襞や凹凸を形成するなど放熱効果の高い材質や形状のものを用い高温部の温度を下げることができる。
【００２４】
滑り面のガイド部（１）、（１ａ）は、滑るとき、直接、底板と身体の触れる部分としてはもっとも多い。この部分は、子供側の部分としては、衣服に覆われた臀部の部分である。座りの姿勢が臀部の窪みにガイド（１）、（１ａ）の凸部が高さも少し高くなり身体を支持しているので、左右に動きにくく、膝を曲げた安定した姿勢がとりやすくなった。それで、高温に熱せられた滑り面表面が、素肌を剥き出しにした下肢に直接、触れることがなく、火傷を負いにくくできた。
【００２５】
ガイドにより、滑り面と子供のからだの接触する箇所は、子供の身体の衣服に覆われた部分が多くあたるようになり、また、滑り面と身体の接触面がガイドの目的である支持される接触面の形状に合わせた凹凸により滑り面へ接触する面圧力も広く均等になるので、今まで、ほとんど、臀部の骨部分にあたっていた滑り面への摩擦される力も、分散され軽減されるようになり、衣服の滑り面との擦過による部分的な擦れによる破れも分散、軽減され、身体への安全も増すことが出来る。また滑り面本体も、ガイドに面圧力が均等に分散されることにより、臀部の骨があたるところだけ極端に摩耗したり、変形したりしなくなり耐久性が上がり経済的である。
【００２６】
滑り台のデザインも滑り面の筐体ガイド部に滑り面とは違う色や材質のものが用いることができ、カラフルで良いデザインのものが出来る。
【００２７】
請求項３は、ガイドの筐体滑り面表面によって温度によって色が変わるコレステリック液晶のマイクロカプセル顔料を塗布し、その上を、透過樹脂で保護膜で皮膜し保護すれば、表面温度を色で表示でき、危険を表示することもできる。又、滑り面の表面温度を検知する温度センサーにより表面温度の危険を知らせる文字などの情報を表示する表示装置（５）も筐体部分の滑り面表面温度の危険や安全を表示できる。
【図面の簡単な説明】
【図１】滑り台における姿勢安定ガイド付き滑り面使用状況図
【図２】平面タイプ滑り面平面図及び使用状況説明図である。
【図３】図２における滑り面平面図におけるＡ−Ｂ線、断面図である。
【図４】半筒状滑り面の滑り台斜視使用状況図である。
【図５】図４におけるＣ−Ｄ線の断面図及び各ガイドの配置図である。
【図６】滑り面両端部のガイドの滑り面状況説明斜視図。
【図７】図６におけるＥ−Ｆ線の断面図及び説明図。
【図８】滑り面平面図である。
【図９】滑り面立面図である。
【図１０】滑り面側面図である。
【図１１】筐体のガイド分解平面パーツ図である。
【図１２】滑り面と滑り面に取り付けた筐体ガイドの立面図である。
【図１３】筐体のガイドと滑り面の側面図である。
【符号の説明】
１．中央ガイド
２．滑り面両端ガイド
３．滑り面
４．側板
１ｒ．半筒状滑り面の中央ガイド
２ａｒ．半筒状滑り面の両端ガイド
２ｂｒ．半筒状滑り面の両端ガイド
３ｒ．半筒状滑り面
１ａ．中央用のガイドの筐体
２ａ．側板用のガイドの筐体
２ｂ．側板用のガイドの筐体
３ａ．分割された滑り面
３ｂ．分割された滑り面
５．ガイドの筐体に組み込まれた液晶表示部である


【手続補正２】
【補正対象書類名】図面
【補正対象項目名】図４
【補正方法】変更
【補正の内容】
【図４】
2002282557.tif 000001
【手続補正３】
【補正対象書類名】図面
【補正対象項目名】図５
【補正方法】変更
【補正の内容】
【図５】
2002282557.tif 000002
【手続補正４】
【補正対象書類名】図面
【補正対象項目名】図１３
【補正方法】変更
【補正の内容】
【図１３】
2002282557.tif 000003